(57)【要約】【課題】良好な意匠性を確保しつつ使い勝手を向上した電気洗濯機を提供する。【解決手段】洗濯槽２を収容する筐体１と、筐体１に回動自在に支持され、当該筐体１の前側上面部１３ａの開口を開閉する蓋３と、を備え、蓋３は、一枚の板状に形成され、当該蓋３の手前側において表面３ａが凸状且つ裏面が凹状に形成された手掛け部３１を備え、手掛け部３１は、前側上面部１３ａと上下方向において重なる突出形状部３１ｓを有する。【選択図】図１
2018102753.tif 000002
【特許請求の範囲】
【請求項１】
洗濯槽を収容する筐体と、
前記筐体に回動自在に支持され、当該筐体の上面の開口を開閉する蓋と、を備え、
前記蓋は、一枚の板状に形成され、当該蓋の手前側において表面が凸状且つ裏面が凹状に形成された手掛け部を備え、
前記手掛け部は、前記上面と上下方向において重なる突出形状部を有することを特徴とする電気洗濯機。
【請求項２】
前記手掛け部は、前記蓋を閉じたときに当該手掛け部の裏面から前記開口の縁に向けて延びるリブを有することを特徴とする請求項１に記載の電気洗濯機。
【請求項３】
前記リブの先端は、前記手掛け部の先端よりも後方に位置していることを特徴とする請求項２に記載の電気洗濯機。
【請求項４】
前記リブは、断面視において後方に向けて膨らむ膨らみ部を有することを特徴とする請求項２または請求項３に記載に電気洗濯機。
【請求項５】
前記筐体は、前記蓋の手前側に操作パネルを備え、
前記突出形状部は、前記操作パネルの操作部および表示部と上下方向において重ならない位置に形成されていることを特徴とする請求項１から請求項４のいずれか１項に記載の電気洗濯機。
【発明の詳細な説明】
【技術分野】
【０００１】
本発明は、電気洗濯機に関する。
【背景技術】
【０００２】
特許文献１には、蓋を１枚の板状のもので構成した電気洗濯機が記載されている。この種の電気洗濯機では、蓋を閉じたときに、上板（トップカバー）の上面（表面）に形成された凹みに蓋が嵌り込むことで、蓋の表面と上板の表面とが面一になるように構成されている。
【先行技術文献】
【特許文献】
【０００３】
【特許文献１】中国特許出願公開第１５０８３３４号明細書
【発明の概要】
【発明が解決しようとする課題】
【０００４】
しかしながら、特許文献１に記載の電気洗濯機では、蓋を開ける際の指を差し込む部分が小さく使い勝手に対する配慮がなされていない。また、指を差し込む部分を大きくしようとすると、トップカバーの削りを大きくする必要があり、特に上部から見た場合の意匠性が損なわれる課題がある。
【０００５】
本発明は、前記した従来の課題を解決するものであり、良好な意匠性を確保しつつ使い勝手を向上した電気洗濯機を提供することを目的とする。
【課題を解決するための手段】
【０００６】
本発明は、洗濯槽を収容する筐体と、前記筐体に回動自在に支持され、当該筐体の上面の開口を開閉する蓋と、を備え、前記蓋は、一枚の板状に形成され、当該蓋の手前側において表面が凸状且つ裏面が凹状に形成された手掛け部を備え、前記手掛け部は、前記上面と上下方向において重なる突出形状部を有することを特徴とする。
【発明の効果】
【０００７】
本発明によれば、良好な意匠性を確保しつつ使い勝手を向上した電気洗濯機を提供できる。
【図面の簡単な説明】
【０００８】
【図１】本発明の実施形態に係る電気洗濯機を示す外観斜視図である。
【図２】図１の電気洗濯機の蓋を開けた状態を示す斜視図である。
【図３】本発明の実施形態に係る電気洗濯機の上部正面図である。
【図４】本発明の実施形態に係る電気洗濯機の上部左側面図である。
【図５】本発明の実施形態に係る電気洗濯機の平面図である。
【図６】図３のＶＩ−ＶＩ線断面図である。
【図７】図２の蓋を示す拡大図である。
【図８】図２の電気洗濯機の蓋を開けた状態を示す正面図である。
【図９】洗濯機の蓋を開ける際の動作を示し、（ａ）は本実施形態、（ｂ）は比較例である。
【図１０】本発明の実施形態に係る蓋の変形例を示す斜視図である。
【図１１】他の変形例における電気洗濯機の蓋の構成を示す断面図である。
【発明を実施するための形態】
【０００９】
以下、本発明を実施するための形態（以下「実施形態」という）について、適宜図面を参照しながら詳細に説明する。なお、以下では、電気洗濯機（いわゆる、全自動洗濯機）を例に挙げて説明する。また、以下の説明における前後上下左右の方向は、図１に示す前後上下左右の方向を基準とする。
【００１０】
図１は、本発明の実施形態に係る電気洗濯機を示す外観斜視図である。
図１に示すように、電気洗濯機１００は、洗濯槽２を収容する筐体１と、この筐体１の上部に回動自在に取り付けられる蓋３と、を有して構成されている。
【００１１】
筐体１は、例えば、外郭が鋼板と樹脂成型品とを組み合わせて構成されたものであり、全体を支持するベース１１と、側面パネル１２と、トップカバー１３（上面パネル）と、を備えて略四角箱状に構成されている。ベース１１は、合成樹脂で成形されたものであり、底面の四隅に脚部を備えている。側面パネル１２は、前面パネル、背面パネル、左パネルおよび右パネルを組み合わせて構成されている。
【００１２】
トップカバー１３は、例えば合成樹脂製であり、上面に蓋３が開閉可能に取り付けられている。また、トップカバー１３は、略四角形状であり、蓋３の前方に運転コースの設定などを行うための操作パネル１５が設けられる前側上面部１３ａと、蓋３の後方に給水接続口１４が設けられる後側上面部１３ｂと、を有している。操作パネル１５は、各種操作ボタンスイッチや表示器を備え、筐体１内に設けられたマイクロコンピュータ（図示省略）と電気的に接続されている。
【００１３】
また、トップカバー１３は、前面パネルと略同じ方向を向く前面１３ｃ、右パネルと略同じ方向を向く右側面１３ｄ、左パネルと略同じ方向を向く左側面１３ｅ（図４参照）、背面パネルと略同じ方向を向く背面（図示省略）を有している。
【００１４】
洗濯槽２は、内槽、外槽、パルセータ、流体バランサ（いずれも図示省略）などを含んで公知の方法によって構成されたものである。内槽は、洗濯兼脱水槽として機能するものであり、有底円筒状に形成され、鉛直方向（上下方向）に回転軸を有している。また、内槽は、通水のための複数の貫通孔が形成されている。また、内槽の底面にはパルセータが回動可能に取り付けられ、内槽の上縁部には流体バランサが取り付けられている。外槽は、内槽を同軸上に内包し、筐体１内において弾性支持されている。筐体１内の底部には、内槽およびパルセータを回転駆動させる駆動モータが取り付けられている。
【００１５】
図２は、図１の電気洗濯機の蓋を開けた状態を示す斜視図である。
図２に示すように、トップカバー１３は、洗濯槽２内に洗濯物を投入するための開口１３ｆが形成されている。この開口１３ｆには、洗濯槽２に向けて延びる筒状部１３ｇが形成されている。
【００１６】
また、トップカバー１３は、蓋３が取り付けられる上面１３ｈが、前側上面部１３ａと後側上面部１３ｂよりも一段低くなるように凹状に形成されている。これにより、蓋３を閉じた（全閉した）ときに、蓋３の一部（後記する手掛け部３１）を除いて、蓋３の表面３ａが前側上面部１３ａと後側上面部１３ｂと面一になるように構成されている（図１参照）。また、蓋３を全閉したときに、蓋３の前端縁３ａ１（図１参照）と前側上面部１３ａの後端縁１３ａ１（図１参照）との間、および蓋３の後端縁３ａ２（図１参照）と後側上面部１３ｂの前端縁１３ｂ１（図１参照）との間に、それぞれほぼ隙間がなくなるように構成されている。
【００１７】
蓋３は、略四角形状を呈し、一枚の板状に形成され、樹脂製の蓋本体４と、ガラス板５と、ガラス板５を蓋本体４に固定する固定部材６と、が組み合わされて構成されている。なお、一枚の板状とは、蓋開時に蓋が折れ曲がる機構を備えず、全閉時から全開時までの間で蓋３の形状が変わらないものである。
【００１８】
蓋本体４は、蓋３の周囲に枠状に配置され、左右方向（幅方向）において左右両端まで延び、かつ、前後方向においてトップカバー１３の前側上面部１３ａおよび後側上面部１３ｂまで延びている。
【００１９】
また、蓋本体４の右端は、トップカバー１３の右側面１３ｄと面一になるように曲げ形成された曲げ部（側面部）４ａが形成されている。また、蓋本体４の左端は、トップカバー１３の左側面（不図示）と面一になるように曲げ形成された曲げ部（側面部）４ｂが形成されている。
【００２０】
ガラス板５は、強化ガラスや強化ガラスに準じた板ガラスによって構成され、蓋本体４の枠の内側に配置されるように取り付けられている。なお、ガラス板５は、洗濯槽２内を視認可能なものであれば、ガラスに限定されるものではなく、無色透明な樹脂製の板（透明板）であってもよい。
【００２１】
固定部材６は、合成樹脂によって枠状に形成されたものであり、ガラス板５の外周縁部全体を固定部材６と蓋本体４の裏面とで挟み込むことで、ガラス板５が蓋本体４に固定されるように構成されている。
【００２２】
このように、蓋３を一枚の板状に構成することで、中央に大きな面積のガラス板５を配置することができ、洗濯運転時において洗濯槽２内の状態を視認し易くなる。
【００２３】
また、蓋３は、トップカバー１３の上面１３ｈの後端にヒンジ機構７，７を備え、左右方向が回動軸となるようにトップカバー１３に回動可能に取り付けられている。これにより、蓋３は、山型に折れ曲がりながら開く二つ折りタイプのものではなく、蓋３の先端（前端、手前）が左右方向の側面視において円弧状の軌跡を描いて開閉するものである。
【００２４】
図３は、本発明の実施形態に係る電気洗濯機の上部正面図である。なお、図３以降では、トップカバー１３より下側の図示を省略している。
図３に示すように、蓋３は、当該蓋３の手前側（前端縁部）に、上方に突出する手掛け部３１が形成されている。この手掛け部３１は、当該蓋３の表面３ａが凸状に形成され、かつ、その凸状の表面３ａに対応する裏面３ｂが凹状に（凹面が下側を向くように）形成されることで、上方に向けて突出した形状を有している。これにより、正面視において、蓋３とトップカバー１３の前側上面部１３ａ（操作パネル１５の上面）との間に隙間Ｓが形成される。隙間Ｓの開口高さＨは、例えば、中央の最も高い場所で２５ｍｍに設定される。この隙間Ｓに手（指）を正面（手前）から入れることで、蓋３を持ち上げることができ、蓋３を開放することができる。
【００２５】
また、手掛け部３１は、左右方向（幅方向）の中央から左右方向に水平に延びる水平部３１ａと、水平部３１ａから左右外側に向けて低くなる傾斜部３１ｂ，３１ｃと、を有している。水平部３１ａと傾斜部３１ｂ，３１ｃとの境界はなだらかな湾曲面で形成され、傾斜部３１ｂ，３１ｃはなだらかな傾斜面で形成されている。また、傾斜部３１ｂ，３１ｃの左右外側は、水平な面に収束している。このように、水平部３１ａと傾斜部３１ｂ，３１ｃとの境界、および傾斜部３１ｂ，３１ｃと蓋３の表面３ａとの境界は、角張った形状を無くしている。これにより、手掛け部３１の形状が強調されるのを抑えて、フラットな外観を演出して良好な意匠性を確保している。
【００２６】
図４は、本発明の実施形態に係る電気洗濯機の上部左側面図である。
図４に示すように、蓋３の表面（上面）３ａは、後側から前側（手前側）に向けて低くなるように傾斜している。また、前側上面部１３ａ（操作パネル１５の表面）も、蓋３の表面３ａの傾斜角度と同様に傾斜している。
【００２７】
手掛け部３１は、操作パネル１５の表面（トップカバー１３の前側上面部１３ａ）と上下方向（鉛直方向）において重なるように前方（手前側）に向けて突出している。
【００２８】
また、手掛け部３１は、当該手掛け部３１の背面側を閉塞する背面部３１ｄを有している。この背面部３１ｄは、手掛け部３１の上端から後方に向けてなだらかに湾曲して形成されている。
【００２９】
図５は、本発明の実施形態に係る電気洗濯機の平面図である。
図５に示すように、手掛け部３１は、前方（手前）に向けて突出する突出形状部（オーバーハング部）３１ｓを有している。この突出形状部３１ｓは、上面視（平面視）において、操作パネル１５の表面の一部（前側上面部１３ａの一部）と重なるように構成されている。ただし、上面視において、突出形状部３１ｓによって、操作パネル１５の各種操作ボタンスイッチからなる操作部１５ａや表示部１５ｂ，１５ｃが隠れないように（使用者が視認できなくならないように）構成されている。
【００３０】
図６は、図３のＶＩ−ＶＩ線断面図である。
図６に示すように、蓋３は、ガラス板５の周縁部を保持して、ガラス板５を蓋本体４に固定する固定部材６を有している。この固定部材６は、裏面からの平面視において略四角枠状に形成され（図８参照）、ガラス板５の周縁部の下面を保持している。
【００３１】
蓋本体４は、下方（裏面側）に向けて円柱形状の突起部４ｃが形成されている。この突起部４ｃは、ガラス板５の前縁部と後縁部に沿って間隔を置いて複数箇所に形成されている（図２参照）。
【００３２】
固定部材６は、突起部４ｃと嵌合する円形の嵌合孔６ａがそれぞれの突起部４ｃに対応する位置に形成されている。なお、突起部４ｃには、固定部材６の嵌合孔６ａを突起部４ｃに嵌合したときに、固定部材６が突起部４ｃから抜け出ないように、抜け止め用の突起（図示省略）が形成されている。
【００３３】
なお、固定部材６は、ガラス板５の前縁と後縁のみを保持する構成であってもよく、ガラス板５の左縁と右縁のみを保持する構成であってもよく、ガラス板５の周縁を部分的に保持する構成であってもよく、適宜変更することができる。
【００３４】
手掛け部３１は、ガラス板５を保持する固定部材６の位置から前方かつ上方に向けてなだらかに傾斜する背面部３１ｄを有している。また、手掛け部３１の突出形状部３１ｓは、操作パネル１５が設けられるトップカバー１３の前側上面部１３ａの一部（後側部分）において上下方向において重なる位置に形成されている。また、手掛け部３１は、突出形状部３１ｓの先端に略前方に向けて屈曲する屈曲部３１ｔが形成されている。この屈曲部３１ｔは、突出形状部３１ｓの幅方向（左右方向）に沿って形成されている。このような屈曲部３１ｔを形成することにより、蓋３を開放する際に指の腹を引掛け易くできる。
【００３５】
また、手掛け部３１の裏面３ｂ（下面）には、トップカバー１３の開口１３ｆの縁１３ｆ１に向けて延びるリブ３２が蓋本体４と一体に形成されている。このリブ３２は、その基端が蓋３の裏面３ｂの開口１３ｆと上下方向において重なる位置に形成され、その位置から前方に延びて形成されている。また、リブ３２は、左右方向（図６の紙面に対して垂直方向）に連続的に延びて形成されている。このようにリブ３２を形成することにより、リブ３２を蓋３の補強材として機能させることができ、ＰＰ（ポリプレン樹脂）のような比較的柔らかい樹脂で幅広の手掛け部３１を形成したとしても、蓋３（手掛け部３１）の撓み変形を抑えることが可能になる。
【００３６】
また、リブ３２は、縦断面視において、開口１３ｆの縁１３ｆ１に向けて延び、先端３２ｓが縁１３ｆ１の近傍に位置している。このようなリブ３２を形成したことで、隙間Ｓから開口１３ｆを介して洗濯槽２（図１参照）内に異物が混入するのを防止でき、また隙間Ｓから洗濯槽２の内部が見えるのを防止できる。
【００３７】
また、リブ３２には、縦断面視において後方に向けて膨らむ膨らみ部３２ａを有している。これにより、手掛け部３１の空間を広く確保することができ、使用者が隙間Ｓに指を入れ易くなる。
【００３８】
図７は、図２の蓋を示す拡大図である。
図７に示すように、リブ３２は、左右方向に直線状に延び、手掛け部３１の傾斜部３１ｂ，３１ｃに対応（対向）する位置まで延びている。また、リブ３２の左右両端には、手掛け部３１の裏面３ｂに向けて延びる壁部３２ｂ，３２ｃが形成されている。これにより、手掛け部３１（水平部３１ａ，傾斜部３１ｂ，３１ｃ）とリブ３２（膨らみ部３２ａ、壁部３２ｂ，３２ｃ）とで囲まれた閉空間が形成されるので、手掛け部３１の強度を高めることができ、手掛け部３１を左右に細長く形成したとしても、手掛け部３１が撓み変形するのを抑えることができる。
【００３９】
また、蓋３の裏面３ｂには、リブ３２から固定部材６の前端に向けて補強リブ４ｄが形成されている。この補強リブ４ｄは、複数備え、左右方向に間隔を空けて形成されている。これにより、手掛け部３１の撓み変形を抑えることができる。また、蓋３の裏面３ｂには、補強リブ４ｄの他に、固定部材６の後端から蓋３の裏面３ｂに沿って延びる補強リブ４ｇが形成されている。これにより、蓋３の撓み変形が抑えられている。
【００４０】
また、蓋３は、壁部３２ｂから蓋３の前縁に沿って左端まで延びるリブ３２ｄと、壁部３２ｃから蓋３の前縁に沿って右端まで延びるリブ３２ｅと、を有している。これにより、蓋３の左右両側の撓みを抑えることができる。
【００４１】
このように形成されたリブ３２ｄ，３２ｅの先端３２ｄ１，３２ｅ１およびリブ３２の先端３２ｓは、左右方向に連続した直線状に形成され、蓋３を閉じたときに、トップカバー１３の上面１３ｈ（図２参照）に当接して、開口１３ｆ（図２参照）の前方を閉塞するように構成されている。
【００４２】
図８は、図２の電気洗濯機の蓋を開けた状態を示す正面図である。
図８に示すように、固定部材６は、ガラス板５が取り付けられる略矩形状の内縁部６ｓを有している。内縁部６ｓの四隅は、丸く湾曲するように形成されている。ガラス板５は、内縁部６ｓの開口面積よりも大きな面積を有し、ガラス板５の周縁部の全体が内縁部６ｓの外側に形成された固定部材６に保持されている。このように、ガラス板５を内縁部６ｓの開口面積よりも大きくすることで、ガラス板５の縁を加工（例えば、角を落とす処理）する必要がなくなり、製造コストを安価にできる。
【００４３】
図９は、電気洗濯機の蓋を開ける際の動作を示し、（ａ）は本実施形態、（ｂ）は比較例である。なお、図９では、蓋の形状を簡略化して図示している。
図９（ｂ）に示すように、比較例としての蓋３００は、手掛け部３１０とリブ３２０を有している。手掛け部３１０は、図９（ａ）の実施形態での突出形状部３１ｓが形成されておらず、手掛け部３１０が上下方向においてトップカバー１３の前側上面部１３ａと重ならないように構成されている。リブ３２０は、図９（ａ）のリブ３２と同じ構成である。
【００４４】
このような比較例の手掛け部３１０では、実線で示すように、使用者が手のひらを上向きにして指の先を手掛け部３１０に掛けて、蓋３００の開動作を行う。この場合には、蓋３００を開く途中において、二点鎖線で示すように、点Ｐでリブ３２０の先端（前端）が指の背に当たり、指が反り返る状態となって、蓋３００の開動作の操作性が損なわれる。
【００４５】
そこで、本実施形態では、図９（ａ）に示すように、手掛け部３１が、トップカバー１３の前側上面部１３ａ（操作パネル１５の表面）と重なるように突出形状部３１ｓ（図５参照）が形成されている。これにより、実線で示すように、使用者が手のひらを上向きにして指の先を手掛け部３１に掛けて、蓋３の開動作を行った場合でも、二点鎖線で示すように、蓋３を開く途中において、リブ３２の先端（前端）が指の背に当たることがないので、指が反り返ることもなく、蓋３の開動作を確実に行うことができる。
【００４６】
以上説明したように、本実施形態の電気洗濯機１００では、図２に示すように、洗濯槽２を収容する筐体１と、筐体１に回動自在に支持されてトップカバー１３（筐体１）の上面１３ｈの開口１３ｆを開閉する蓋３と、を備え、蓋３が、一枚の板状に形成され、当該蓋３の手前側において表面３ａ（図１参照）が凸状且つ裏面が凹状に形成された手掛け部３１を備え、手掛け部３１は、前側上面部１３ａと上下方向において重なる突出形状部３１ｓを有している。蓋３の手前側縁部の板部材の形状を変化させて手掛け部３１を形成することで、蓋３とトップカバー１３（筐体１）との間に上部から手（指）を入れるための大きな隙間（溝）を形成する必要がなくなり、良好な意匠性（特に上方から見たときの意匠性）を確保することができる。また、手掛け部３１に突出形状部３１ｓを形成することで、指を入れる深さを確保でき、蓋３の操作性（使い勝手）を向上させることができる。また、突出形状部３１ｓを形成することで、隙間Ｓ（図３参照）内に埃が溜まるのを低減できる。
【００４７】
ところで、本実施形態のように蓋３を一枚の部品で作製すると、外観上粗雑な感じになり易い。また、コスト的に安価な製品では、多色にすることも難しい。そこで、本実施形態では、蓋３に上方に突出する手掛け部３１を形成し、さらに手掛け部３１に前方に突出する突出形状部３１ｓを形成して造形上複雑な形状にすることで、良好な意匠性を確保できる（粗雑な印象を与えにくくする）ようにしたものである。
【００４８】
また、本実施形態では、手掛け部３１は、蓋３を閉じたときに当該蓋３の裏面３ｂから開口１３ｆの縁１３ｆ１に向けて延びるリブ３２を有する（図６参照）。これにより、リブ３２によって開口１３ｆが閉じられるので、隙間Ｓから開口１３ｆを介して洗濯槽２（図１参照）内に異物が混入するのを防止でき、また隙間Ｓから洗濯槽２の内部が見える（視界に入る）のを防止できる。
【００４９】
また、本実施形態では、リブ３２の先端３２ｓ（図６参照）は、手掛け部３１の先端３１ｍ（図６参照）よりも後方に位置している。これにより、蓋３を開ける途中において、リブ３２（先端３２ｓ）が手（指の背）に当たることがないので、蓋３の開操作時の操作性を向上できる（使い勝手を向上できる）。
【００５０】
また、本実施形態では、リブ３２は、断面視において後方に向けて膨らむ膨らみ部３２ａを有する（図６、図７参照）。これにより、指を入れる空間（隙間Ｓ）を大きく確保することができ、蓋３を開く際の操作性を向上できる（使い勝手を向上できる）。
【００５１】
また、本実施形態では、トップカバー１３は、蓋３の手前側に操作パネル１５を備え、突出形状部３１ｓは、操作パネル１５の操作部１５ａおよび表示部１５ｂ，１５ｃと上下方向において重ならない位置に形成されている（図５、図６参照）。これにより、操作パネル１５の良好な視認性と、蓋３の良好な操作性とを両立できる。
【００５２】
なお、前記した実施形態では、手掛け部３１の中央部が水平に突出するとともに、左右の外側に向けて低くなり、水平に収束する形状としたが、以下の図１０（ａ），（ｂ），（ｃ）に示す形状にしてもよい。なお、手掛け部以外の構成については、前記した実施形態と同様とし、重複した説明を省略する。
【００５３】
すなわち、図１０（ａ）に示すように、蓋３Ａは、一枚の板状に形成され、当該蓋３Ａの手前側において表面３ａが凸状且つ裏面３ｂ（図３参照）が凹状に形成された手掛け部３１Ａを備えている。手掛け部３１Ａは、蓋３Ａの表面３ａから上向きに傾斜し且つ左右方向に平面状に延びる傾斜面３３ａと、傾斜面３３ａの左右の両端部において蓋３Ａの表面３ａに延びる側面３３ｂ，３３ｃと、を有している。また、手掛け部３１Ａは、トップカバー１３の前側上面部１３ａ（筐体１の上面）と上下方向において重なる突出形状部３３ｓを有している。
【００５４】
図１０（ｂ）に示すように、蓋３Ｂは、一枚の板状に形成され、当該蓋３Ｂの手前側において表面３ａが凸状且つ裏面３ｂ（図３参照）が凹状に形成された手掛け部３１Ｂを備えている。手掛け部３１Ｂは、蓋３Ｂの表面３ａから上方に向けて表面３ａに対して平行に突出し且つ左右方向に平面状に延びる水平面３４ａと、水平面３４ａの左右の両端部において蓋３Ｂの表面３ａに延びる側面３４ｂ，３４ｃと、を有している。また、手掛け部３１Ｂは、トップカバー１３の前側上面部１３ａ（筐体１の上面）と上下方向において重なる突出形状部３４ｓを有している。
【００５５】
図１０（ｃ）に示すように、蓋３Ｃは、一枚の板状に形成され、当該蓋３Ｃの手前側において表面３ａが凸状且つ裏面３ｂ（図３参照）が凹状に形成された手掛け部３１Ｃを備えている。手掛け部３１Ｃは、蓋３Ｃの表面３ａから上方に向けて表面３ａに対して平行に突出し且つ左右全幅に渡って平面状に延びる水平面３５ａと、水平面３５ａの左右の両端部において蓋３Ｃの表面３ａに延びる側面３５ｂ，３５ｃと、を有している。また、手掛け部３１Ｃは、トップカバー１３の前側上面部１３ａ（筐体１の上面）と上下方向において重なる突出形状部３５ｓを有している。
【００５６】
このように形成された手掛け部３１Ａ〜３１Ｃを有する蓋３Ａ〜３Ｃを備えた電気洗濯機では、前記した実施形態と同様に、蓋３Ａ〜３Ｃの手前側縁部の板部材の形状を変化させて手掛け部３１Ａ〜３１Ｃを形成している。このため、蓋３Ａ〜３Ｃとトップカバー１３（筐体１）との間に手（指）を入れる大きな隙間（溝）を形成する必要がなくなるので、良好な意匠性（特に上部から見たときの意匠性）を確保することができる。さらに、手掛け部３１Ａ〜３１Ｃに突出形状部３３ｓ〜３５ｓを形成することで、指を入れる深さを確保でき、蓋３Ａ〜３Ｃの操作性（使い勝手）を向上させることが可能になる。
【００５７】
図１１は、他の変形例における電気洗濯機の蓋の構成を示す断面図である。なお、図１１では、図１０と同様に簡略化して図示している。また、図示省略している部分は、前記した実施形態と同様であるものとする。
図１１に示すように、電気洗濯機１００Ａは、洗濯槽２を収容する筐体１と、筐体１に回動自在に支持され、当該筐体１の上面１３ｈの開口１３ｆを開閉する蓋３Ｄと、を備え、蓋３Ｄは、一枚の板状に形成され、当該蓋３Ｄの手前側において表面３ａが凸状且つ裏面３ｂが凹状に形成された手掛け部３１Ｄを備え、手掛け部３１Ｄは、トップカバー１３（筐体１）の前側上面部１３ａと上下方向において重ならない位置に形成されている。
【００５８】
リブ３２Ｄ（前記した実施形態のリブ３２に相当する部材）は、蓋３Ｄを閉じたときに蓋３Ｄの裏面３ｂから開口１３ｆの縁１３ｆ１に向けて延びている。また、リブ３２Ｄの先端３２ｓは、手掛け部３１Ｄの先端３１ｆよりも後側に位置している。
【００５９】
このようにトップカバー１３の上面に蓋３Ｄを備えた電気洗濯機では、蓋３Ｄとトップカバー１３との間に手（指）を入れるための大きな隙間（溝）を形成する必要がなくなるので、良好な意匠性（特に上方から見たときの意匠性）を確保することができる。また、リブ３２Ｄの先端３２ｓが手掛け部３１Ｄの先端３１ｆよりも後方に位置することで、蓋３Ｄの開操作時に指がリブ３２Ｄに接触するのを防止でき、蓋３Ｄの操作性（使い勝手）を向上させることができる。
【００６０】
なお、前記した実施形態では、蓋３，３Ａ〜３Ｃの表面３ａが凸状且つ裏面３ｂが凹状に形成された手掛け部３１，３１Ａ〜３１Ｃを例に挙げて説明したが、蓋３，３Ａ〜３Ｃの表面３ａが平らで（凸形状が無い）、裏面３ｂが凹状に形成された構成にしてもよい（図示省略）。換言すると、電気洗濯機１００Ａは、洗濯槽２を収容する筐体１と、筐体１に回動自在に支持され、当該筐体１の上面１３ｈの開口１３ｆを開閉する蓋３と、を備え、蓋３は、一枚の板状に形成され、当該蓋３の手前側において裏面３ｂが凹状に形成された手掛け部３１（少なくとも裏面が凹状に形成された手掛け部）を備え、手掛け部３１は、前側上面部１３ａと上下方向において重なる突出形状部３１ｓを有する。つまり、蓋３の表面３ａの全体が平らで、裏面３ｂが凹状に形成されたものであってもよい。
【００６１】
このような構成においても、前記した実施形態と同様に、蓋３とトップカバー１３（筐体１）との間に手（指）を入れるための大きな隙間（溝）を形成する必要がなくなるので、良好な意匠性（特に上方から見たときの意匠性）を確保することができる。また、手掛け部３１に突出形状部３１ｓを形成することで、指を入れる深さを確保でき、蓋３の操作性（使い勝手）を向上させることができる。また、突出形状部３１ｓを形成することで、隙間Ｓ内に埃が溜まるのを低減できる。
【００６２】
なお、本発明は前記した実施形態に限定されるものではなく、本発明の要旨を変更しない範囲において種々変更できる。例えば、手掛け部３１，３１Ａ〜３１Ｃは、いずれも表面３ａに一つの凸形状および裏面３ｂに一つの凹形状とした場合を例に挙げて説明したが、表面３ａに複数の凸形状および裏面３ｂに複数の凹形状とした構成であってもよい。
【符号の説明】
【００６３】
１      筐体
２      洗濯槽
３，３Ａ，３Ｂ，３Ｃ  蓋
３ａ    表面
３ｂ    裏面
４      蓋本体
５      ガラス板
６      固定部材
１１    ベース
１２    側面パネル
１３    トップカバー
１３ｆ  開口
１３ｆ１  縁（開口の縁）
１３ｈ  上面（筐体の上面）
１５    操作パネル
１５ａ  操作部
１５ｂ，１５ｃ  表示部
３１，３１Ａ，３１Ｂ，３１Ｃ  手掛け部
３１ｍ  先端（手掛け部の先端）
３１ｓ，３３ｓ，３４ｓ，３５ｓ  突出形状部
３２    リブ
３２ａ  膨らみ部
３２ｓ  先端（リブの先端）
１００  電気洗濯機
【図１】
2018102753.tif 000003
【図２】
2018102753.tif 000004
【図３】
2018102753.tif 000005
【図４】
2018102753.tif 000006
【図５】
2018102753.tif 000007
【図６】
2018102753.tif 000008
【図７】
2018102753.tif 000009
【図８】
2018102753.tif 000010
【図９】
2018102753.tif 000011
【図１０】
2018102753.tif 000012
【図１１】
2018102753.tif 000013